(57)【要約】【課題】磁気パターンの認識システム、認識方法、および、情報記録媒体を提供する。【解決手段】本発明の磁気パターンの読取システムは、読取装置と認識装置から構成される。読取装置の測定部は磁気インクにより印刷された磁気パターンの付された領域に対して磁気ヘッドを相対的に移動させながら、前記磁気パターンの磁気信号を出力し、信号送信部は測定部が出力した磁気信号を認識装置に送信する。また、認識装置の信号受信部は信号送信部が送信した磁気信号を受信し、磁気パターン認識部は受信した磁気信号を磁気パターンとして特定する。【選択図】    図２
2004318697.tif 000002
【特許請求の範囲】
【請求項１】
磁気インクにより印刷された磁気パターンの付された領域に対して磁気ヘッドを相対的に移動させながら、前記磁気パターンの磁気信号を出力する測定部と、
前記測定部が出力した磁気信号を認識装置に送信する信号送信部と、
を備える読取装置と、
前記信号送信部が送信した磁気信号を受信する信号受信部と、
前記信号受信部が受信した磁気信号を磁気パターンとして特定する磁気パターン認識部と、
を備える認識装置と、
を備えることを特徴とする磁気パターンの読取システム。
【請求項２】
当該磁気パターンは、ＭＩＣＲ文字またはＭＩＣＲ記号である
ことを特徴とする請求項１に記載の磁気パターンの読取システム。
【請求項３】
磁気インクにより印刷された磁気パターンの付された領域に対して磁気ヘッドを相対的に移動させながら、前記磁気パターンの磁気信号を出力する測定工程と、
前記測定工程にて出力された磁気信号を認識装置に送信する信号送信工程と、
を備える読取工程と、
前記信号送信工程にて送信された磁気信号を受信する信号受信工程と、
前記信号受信工程にて受信された磁気信号を磁気パターンとして特定する磁気パターン認識工程と、
を備える認識工程と、
を備えることを特徴とする磁気パターンの読取方法。
【請求項４】
当該磁気パターンは、ＭＩＣＲ文字またはＭＩＣＲ記号である
ことを特徴とする請求項３に記載の磁気パターンの読取方法。
【請求項５】
磁気インクにより印刷された磁気パターンの付された領域に対して磁気ヘッドを相対的に移動させながら、前記磁気パターンの磁気信号を出力する測定手順と、
前記測定手順にて出力された磁気信号を認識装置に送信する信号送信手順と、
を備える読取手順と、
前記信号送信手順にて送信された磁気信号を受信する信号受信手順と、
前記信号受信手順にて受信された磁気信号を磁気パターンとして特定する認識手順と、
を備える認識手順と、
を含む処理を実行するプログラムを記録したコンピュータ読取可能な情報記録媒体。
【請求項６】
当該磁気パターンは、ＭＩＣＲ文字またはＭＩＣＲ記号である
ことを特徴とする請求項５に記載のプログラムを記録したコンピュータ読取可能な情報記録媒体。
【請求項７】
前記情報記録媒体は、コンパクトディスク、フレキシブルディスク、ハードディスク、光磁気ディスク、ディジタルビデオディスク、磁気テープ、または、半導体メモリであることを特徴とする請求項５または６に記載のプログラムを記録したコンピュータ読取可能な情報記録媒体。
【発明の詳細な説明】
【０００１】
【発明の属する技術分野】
本発明は、磁気パターンの読取システム、読取方法、および、これらを実現するプログラムを記録したコンピュータ読取可能な情報記録媒体に関する。
【０００２】
特に、ＭＩＣＲ（Ｍａｇｎｅｔｉｃ  Ｉｎｋ  Ｃｈａｒａｃｔｅｒ  Ｒｅｃｏｇｎｉｔｉｏｎ）文字やＭＩＣＲ記号（以下適宜まとめて「ＭＩＣＲ文字」という。）を読み取って、その読取信号を磁気波形データとしてホストＰＣへ送信し、ホストＰＣにてその磁気波形データの認識を行うことを特徴とする磁気パターンの読取システム、読取方法、および、これらを実現するプログラムを記録したコンピュータ読取可能な情報記録媒体に関する。
【０００３】
【従来の技術】
従来からたとえば、パーソナルチェックなどにＭＩＣＲ文字を印刷し、これを認識するような磁気認識装置が用いられている。図１に、ＭＩＣＲ文字が印刷されたパーソナルチェックの印刷例を示す。図中の下部に印刷された「記号  ０１２３４５６７８  記号  空白  ９０１２  記号  ３４５６７８９  記号  空白  ０１２３  空白  記号  ４５６７８９０１２３  記号」の列がＭＩＣＲ文字で印刷された部分である。
【０００４】
ＭＩＣＲ文字については、ＡＮＳＩ  Ｘ９．２７  −  １９９５、ＩＳＯ  １００４  Ｉｎｆｏｒｍａｔｉｏｎ  ｐｒｏｃｅｓｓｉｎｇ  −  Ｍａｇｎｅｔｉｃ  ｉｎｋ  ｃｈａｒａｃｔｅｒ  ｒｅｃｏｇｎｉｔｉｏｎ  −  Ｐｒｉｎｔ  Ｓｐｅｃｉｆｉｃａｔｉｏｎｓ、ＪＩＳ  Ｘ９００２−１９８０  磁気インキ文字読取用字体及び印字仕様（Ｅ１３Ｂ）などによって規格が定められている。ＭＩＣＲ文字の形状や、その磁気特性、特に、ＭＩＣＲ文字を磁気ヘッドで読み取った場合の磁気の波形の形状は、ＣＭＣ７規格もしくはＥ１３Ｂ規格などによって定められている。
【０００５】
一方、レーザプリンタ用に、ＭＩＣＲ文字用の磁気インクを含むトナーが提供されている。また、インクジェットプリンタや熱転写型プリンタでも同様のインクが提供されている。このようなトナーやインクを利用すれば、ユーザは、安価な民生用プリンタを用いてＭＩＣＲ文字をパーソナルチェックなどの用紙に印刷することができる。
【０００６】
かつては、所定の規格に合わせた専用印刷装置によってＭＩＣＲ文字が印刷されていたが、今日では、さまざまなＤＰＩ（ｄｏｔ  ｐｅｒ  ｉｎｃｈ）の安価な民生用プリンタによってもＭＩＣＲ文字が印刷されるようになってきている。
【０００７】
従来の読取装置においては、例えば、特開平８−１７１４７０のように、読取装置と接続されたホストＰＣから送信される読取コマンドを解釈して、磁気パターンの読取および認識を読取装置内にて実行し、その認識結果をホストＰＣへ送信するのが一般的である（たとえば、特許文献１  参照。）。
【０００８】
【特許文献１】
特開平８−１７１４７０号公報
【０００９】
【発明が解決しようとする課題】
市場におけるパーソナルチェックなどのＭＩＣＲ文字の付された用紙の中には、その印刷の品質が悪いものがある。ここで印刷の品質が悪いとは、ＡＮＳＩなどによって定められた印刷規格から大きく外れていることを言う。
【００１０】
また、パーソナルチェックの印刷方法によっても印刷された文字の字形が異なるため、読取時の磁気信号も異なったものとなる。たとえば、オフセット印刷では文字を縁取る線の曲がり角が印刷規格通りに滑らかに曲率を持たせることができるが、レーザプリンタで印刷されたものなどは解像度によっては規格通りの線縁になっていないこともある。
【００１１】
従来の読取装置において、このようなパーソナルチェックを読み取って認識を行うと、認識処理に多大な時間がかかってしまうことがある。なぜならば、認識処理においては１種類の認識方法のみならず、何とか認識できるように予め用意された何種類かの認識方法を試みるためである。そして、予め用意されたどの認識方法でも認識できない場合にはその文字を認識不可能文字として、認識不可能文字を含めて認識結果をホストＰＣへ送信する。ところが、認識方法を複数用意しすぎると、認識処理時間が１０秒以上かかってしまうこともあり、読取の作業効率が非常に悪くなってしまい、実使用に耐えかねるという問題が生じていた。
【００１２】
また、新たな認識方法を追加したい場合には、読取装置内のプログラムを置き換えなければならない。そのためには、一般的には、読取装置のプログラムが格納されているＲＯＭを差し換えなければならない。または、プログラムが書き換え可能な読取装置においては、ホストＰＣから読取装置へプログラムデータを送信し、読取装置内のプログラムを書き換えなければならない。前者のＲＯＭ差し換えは、ＲＯＭカバーを外してＲＯＭを差し換え、またＲＯＭカバーを元に戻す、というように多くの作業を要する。また、後者の読取装置内のプログラム書き換えは、書き換え用のホストＰＣも合わせて準備する必要があり手間がかかるという問題も生じていた。
【００１３】
本発明は、上記の問題を解決するためになされたもので、磁気パターンの読取システム、読取方法、および、これらを実現するプログラムを記録したコンピュータ読取可能な情報記録媒体を提供することを目的とする。
【００１４】
特に、ＭＩＣＲ文字などの磁気パターンを読み取って、その読取信号を磁気波形データとしてホストＰＣへ送信し、ホストＰＣにてその磁気波形データを受信して認識を行うことを特徴とする磁気パターンの読取システム、読取方法、および、これらを実現するプログラムを記録したコンピュータ読取可能な情報記録媒体に関する。
【００１５】
【課題を解決するための手段】
以上の目的を達成するため、本発明の原理にしたがって、下記の発明を開示する。
【００１６】
本発明の磁気パターンの読取システムは、測定部と、信号送信部と、信号受信部と、磁気パターン認識部と、を備える。
【００１７】
測定部は、磁気インクにより印刷された磁気パターンの付された領域に対して磁気ヘッドを相対的に移動させながら、磁気パターンの磁気信号を出力する。
【００１８】
信号送信部は、測定部が出力する磁気信号を認識装置に送信する。
【００１９】
ここで、測定部と、信号送信部と、は読取装置の構成要素となる。
【００２０】
信号受信部は、信号送信部が送信した磁気信号を受信する。
【００２１】
磁気パターン認識部は、信号受信部が受信した磁気信号を磁気パターンとして特定する。
【００２２】
ここで、信号受信部と、磁気パターン認識部と、は認識装置の構成要素となる。
【００２３】
また、本発明の磁気パターンの読取装置において、当該磁気パターンは、ＭＩＣＲ文字またはＭＩＣＲ記号であるように構成することができる。
【００２４】
本発明の磁気パターンの読取方法は、測定工程と、信号送信工程と、信号受信工程と、磁気パターン認識工程と、を備える。
【００２５】
測定工程では、磁気インクにより印刷された磁気パターンの付された領域に対して磁気ヘッドを相対的に移動させながら、磁気パターンの磁気信号を出力する。
【００２６】
信号送信工程では、測定工程にて出力された磁気信号を認識装置に送信する。
【００２７】
ここで、測定工程と、信号送信工程と、は読取工程の構成要素となる。
【００２８】
信号受信工程では、信号送信工程にて送信された磁気信号を受信する。
【００２９】
磁気パターン認識工程では、信号受信工程にて受信された磁気信号を磁気パターンとして特定する。
【００３０】
ここで、信号受信工程と、磁気パターン認識工程と、は認識工程の構成要素となる。
【００３１】
また、本発明の磁気パターンの読取方法において、当該磁気パターンは、ＭＩＣＲ文字またはＭＩＣＲ記号であるように構成することができる。
【００３２】
本発明の磁気パターンの読取装置、および、読取方法を実現するプログラムをコンパクトディスク、フレキシブルディスク、ハードディスク、光磁気ディスク、ディジタルビデオディスク、磁気テープ、半導体メモリなどの情報記録媒体に記録することができる。
【００３３】
本発明の情報記録媒体に記録されたプログラムを、読取装置や認識装置が備えるＣＰＵ（Ｃｅｎｔｒａｌ  Ｐｒｏｃｅｓｓｉｎｇ  Ｕｎｉｔ；中央処理ユニット）などの制御装置で実行することにより、上記の磁気パターンの読取システム、および、読取方法を実現することができる。
【００３４】
また、これらの装置とは独立して、本発明のプログラムを記録した情報記録媒体を配布、販売することができる。
【００３５】
【発明の実施の形態】
以下に本発明の一実施形態を説明する。なお、以下に説明する実施形態は説明のためのものであり、本発明の範囲を制限するものではない。したがって、当業者であればこれらの各要素もしくは全要素をこれと均等なものに置換した実施形態を採用することが可能であるが、これらの実施形態も本発明の範囲に含まれる。
【００３６】
図２は、本発明の磁気パターンの読取システムの実施形態の概要構成を示す説明図である。以下、図２を参照して、本発明の磁気パターンの読取システムの実施形態の概要構成について説明する。
【００３７】
本発明の読取システム１００は、読取装置１１０と、ホストＰＣ１２０と、を備える。ホストＰＣ１２０は解析装置の役割を持つ。
読取装置１１０は、測定部１１１と、信号送信部１１２と、読取装置外部インタフェース１１３と、を備える。
【００３８】
測定部１１１は、磁気インクにより印刷された磁気パターンの付された領域に対して磁気ヘッドを相対的に移動させながら、磁気パターンの磁気信号を出力する。信号送信部１１２は、測定部１１１が測定した磁気信号を読取装置外部インタフェースを介してホストＰＣ１２０に送信する。
【００３９】
ホストＰＣ１２０は、磁気文字読取アプリケーション１２１と、コマンド解析部１２２と、読取指令部１２３と、ホストＰＣ外部インタフェース１２４と、信号受信部１２５と、磁気パターン認識部１２６と、を備える。
【００４０】
磁気文字読取アプリケーション１２１は、パーソナルチェックの読取コマンドを発行し、認識結果を取得する。コマンド解析部１２２は、磁気文字読取アプリケーション１２１から発行されるコマンドを解析する。また、後述する磁気パターン認識部１２６から認識文字列を取得し、読取結果が正常だったか等のステータスを付加して認識結果を作成する。読取指令部１２３は、コマンド解析部１２２がコマンドを解析した結果、読取装置１１０に対して磁気文字の読取の要求が発生した場合に、ホストＰＣ外部インタフェース１２４を介して読取を指令する。信号受信部１２５は、読取装置１１０から出力された磁気信号を受信する。磁気パターン認識部１２６は、信号受信部１２５が受信した磁気信号を磁気文字として確定させるための認識処理を行う。
【００４１】
図３は、図２に示すブロック構成図を概要構成とする磁気パターンの読取装置を現実のハードウェアで実現する場合の概要構成を示すブロック構成図である。
【００４２】
読取装置１１０のＣＰＵ  ３０１は、読取装置の各部を制御する。
【００４３】
紙送り装置３０２は、ＭＩＣＲ文字が印刷された用紙、たとえばパーソナルチェックを磁気ヘッド３０３に対して相対的に移動させる。
【００４４】
磁気ヘッド３０３が読み取った磁気パターンの残留磁束密度または相互誘導変化（以下磁束）は増幅回路３０４で増幅され、フィルタ回路３０５は不要な信号を除去する。さらにＡ／Ｄ（Ａｎａｌｏｇ／Ｄｉｇｉｔａｌ；アナログ／ディジタル）変換器３０６により、磁束はディジタル信号に変換され、ＣＰＵ  ３０１に送られる。
【００４５】
ＣＰＵ  ３０１が受け取った磁束の強さのディジタル信号は、磁気波形データとして外部インタフェース３０７を介してホストＰＣ１２０へ送信される。
【００４６】
なお、磁気ヘッド３０３、および、増幅器３０４、および、フィルタ３０５、および、Ａ／Ｄ変換器３０６は、測定部として機能する。また、ＣＰＵ  ３０１および、外部インタフェース３０７は、信号送信部として機能する。
【００４７】
また、ＲＯＭ  ３０８には、ＣＰＵ  ３０１が実行するプログラムを記憶することができ、この場合は、ＲＯＭ  ３０８は、本発明の情報記録媒体として機能する。
【００４８】
さらに、ＲＯＭ  ３０８の内容を外部から更新できる場合には、当該更新するためのプログラムを記録したＣＤ−ＲＯＭ（Ｃｏｍｐａｃｔ  Ｄｉｓｃ  ＲＯＭ）などの情報記録媒体は、本発明の情報記録媒体として機能する。
【００４９】
一方、図６は、図２に示すブロック構成図を概要構成とするホストＰＣ１２０を現実のハードウェアで実現する場合の概要構成を示すブロック構成図である。
【００５０】
ホストＰＣ１２０のＣＰＵ  ６０１は、ホストＰＣの各部を制御する。
【００５１】
外部インタフェース６０２は、ホストＰＣ１２０の外部インタフェース３０７から送信された磁気波形データを受信し、ＲＡＭ  ６０３に記憶する。
【００５２】
ＨＤＤ（Ｈａｒｄ  Ｄｉｓｋ  Ｄｒｉｖｅ；ハードディスクドライブ）６１０内に格納された認識プログラム６１１は、ＲＡＭ  ６０３の磁気波形データとＨＤＤ  ６１０内に格納された基準磁気パターン６１２とを比較して文字または記号を認識する。認識された文字や記号は、ＨＤＤ  ６１０内の磁気文字読取アプリケーション６１３へ引き渡され、他の処理の対象となる。たとえば、認識された文字や記号を銀行の口座番号と金額として解釈し、当該金額の引き落とし処理のトランザクションを行う、などの処理である。この処理については、公知の技法を利用することができる。
【００５３】
なお、ＣＰＵ  ６０１は、磁気パターン認識部、および、信号受信部として、ＲＡＭ  ６０３は、信号受信部として、それぞれ機能する。
【００５４】
また、ＨＤＤ  ６１０には、ＣＰＵ  ６０１が実行するプログラムを記憶することができ、この場合は、ＨＤＤ  ６１０は、本発明の情報記録媒体として機能する。
【００５５】
さらに、ＨＤＤ  ６１０の内容を外部から更新できる場合には、当該更新するためのプログラムを記録したＣＤ−ＲＯＭ（Ｃｏｍｐａｃｔ  Ｄｉｓｃ  ＲＯＭ）などの情報記録媒体は、本発明の情報記録媒体として機能する。
【００５６】
図４は、本実施形態に係る読取装置の実施形態とプリンタとを組み込んだ複合処理装置の概形を示す説明図である。
【００５７】
複合処理処置４０１のプリンタ部は、文字や記号を印刷するプリンタヘッド４０２と、これが移動する移動軸４０３と、印刷の際に紙をおさえるプラテン４０４とを備え、印刷はロール紙４０５に対して行われる。
【００５８】
一方、ＭＩＣＲ文字が印刷されたパーソナルチェック４１１は、挿入口４１２から挿入され、複合処理装置４０１の内部に配置された認識装置１１０により処理される。
【００５９】
図７は、本実施形態の読取システムにおいて実行される読取処理の流れを示すフローチャートである。
【００６０】
まず、磁気文字読取アプリケーション１２１にてコマンド解析を実行する（ステップＳ７０１）。コマンド解析の結果、磁気文字読取コマンドでなかった場合（ステップＳ７０１；磁気文字読取コマンドでない）、そのコマンドに応じた処理を実行し（ステップＳ７０２）、コマンド解析（ステップＳ７０１）へ戻る。一方、コマンド解析の結果、磁気文字読取コマンドであった場合（ステップＳ７０１；磁気文字読取コマンドである）、読取装置１１０に対して読取指令を発行する（ステップＳ７０３）。
【００６１】
次に、読取装置１１０は、ホストＰＣ１２０からの読取指令を受信する（ステップＳ７０４）。
【００６２】
次に、読取装置１１０において磁気パターン読取を実行する（ステップＳ７０５）。
【００６３】
ここで、磁気パターン読取動作の一例を説明する（図示せず）。まず、読取装置１１０が読取指令を受けると、パーソナルチェックの挿入待ち処理を実行する。パーソナルチェックが挿入されたかの判断には、挿入されたことを光センサーなどにより検知する実施形態を採用することができる。パーソナルチェックの挿入が確認された後に磁気パターンの読取を行う。ＣＰＵ  ３０１は、紙送り機構３０２を駆動するとともに、磁気ヘッド３０３を動作させて、用紙に印刷された磁気パターンを読み取り、読み取った結果の信号を所定の増幅率に設定した増幅器３０４で増幅し、さらに、増幅した信号からフィルタ回路３０５によりノイズを除去し、Ａ／Ｄ変換器３０６によりＡ／Ｄ変換する。
【００６４】
データの読取は、たとえば、以下のような手法により行うことができる。紙送り機構３０２は、１／１４４インチ単位のステップで紙を送る。磁気ヘッド３０３は、１ステップあたり１５回磁束を測定する。測定した値は４回ごとに平均をとる。このようにして読み取った磁気波形データは、１データ当たり１バイトの値として処理し、パーソナルチェック１枚当たりでは約３キロバイト程度となる。
【００６５】
ＭＩＣＲ文字は、Ｅ１３Ｂ規格では、ＭＩＣＲ文字の幅は１．３２１ｍｍから２．３１１ｍｍの４グループに分類される。この場合、約４９データでＭＩＣＲ文字１文字幅分となるが、印字間隔は３．１７５ｍｍあり、文字間スペースを含め約７０データを１文字分のデータとすることができる。
【００６６】
次に、読取装置１１０にて読み取った磁気波形データをホストＰＣ１２０へ送信する（ステップＳ７０６）。そして、ホストＰＣ１２０にて磁気波形データを取得し（ステップＳ７０７）、ＲＡＭ  ６０３などに記憶する。このときのデータ送信にＵＳＢ等の高速通信を使用する場合には、数十マイクロ秒程度を見込めば良い。ＲＡＭ  ６０３などに記憶されるディジタル信号は、１データ当たり１バイトの値として記憶するが、この信号の一部を図示すると、たとえば図５のようになる。図５は、ＭＩＣＲ文字「０」の磁気波形データをプロットしたものである。  次に、ホストＰＣ１２０にて、読み取った波形データからＭＩＣＲ文字の認識処理を行う（ステップＳ７０８）。ＭＩＣＲ文字の認識処理については、たとえば、特開平９−３１１９０６号公報に開示されている手法などにより、まず、読み取ったデータから各文字と考えられる区間に対応するデータを切り出す。
【００６７】
次に、切り出した区間のそれぞれについて、磁束の値が正となる場合については記憶される値の分布が１２９〜２５４となるように、磁束の値が負となる場合については記憶される値の分布が１〜１２７となるようにそれぞれ磁束の値を１次式で変換してＲＡＭ  ６０３に記憶する。
【００６８】
ついで、ＣＰＵ  ６０１は、区間のそれぞれについて、ＨＤＤ  ６１０内に記憶された基準磁気パターン６１２のそれぞれと、当該区間のデータと、を比較して、ＭＩＣＲ文字を認識する。
【００６９】
従来の技術においては、読取装置でＭＩＣＲ文字の認識処理を行うと、最短でも数百ミリ秒の処理時間がかかっていたが、ホストＰＣで認識処理を行った場合には、その演算装置の性能にもよるが、数十倍以上は高速化が可能である。したがって、前述した磁気データの送信時間を合わせても、ホストＰＣで認識処理を行ったほうが、読取システムトータルとしては処理時間を短縮することができる。
【００７０】
次に、認識結果を磁気文字読取アプリケーション１２１へ引き渡す（ステップＳ７０９）。この場合、認識したＭＩＣＲ文字を磁気文字読取アプリケーション１２１へ引き渡すのはもちろん、認識不可能文字がなかったか、などの情報も付加することができる。
【００７１】
以上の一連の処理が終了したら、再びコマンド解析の実行（ステップＳ７０１）に戻る。
【００７２】
以上の説明は、パーソナルチェックを用いたが、チェックの種類や、チェックのみによらずＭＩＣＲ印刷された器物に対し有効であることは、いうまでもない。
【００７３】
【発明の効果】
以上説明したように、本発明によれば、磁気波形データの認識処理をホストＰＣ側の演算装置を用いて行うため、読取装置の演算装置にコストを掛けて高速化しなくても、数倍から数十倍以上高速なホストＰＣ側の演算装置を使用することができるため、認識処理時間を短縮することができる。これは、磁気波形データの送信に要する時間も含めてホストＰＣで認識処理を行ったほうが、読取システムとしての処理時間が短縮できることを意味する。
【００７４】
また、ホストＰＣにて認識処理を行うため、認識処理時間が短縮できるので、許された一定時間内でより複数の認識処理を行うことができる。
【００７５】
また、認識処理プログラムをバージョンアップする際には、認識処理プログラムがホストＰＣ側にあるため、ホストＰＣ側のプログラムのみを書き換えれば良く、読取装置側のプログラムを変更する必要はないので、バージョンアップ作業が容易となる。
【００７６】
したがって、前述の効果を奏する磁気パターンの読取システム、読取方法、および、これらを実現するプログラムを記録したコンピュータ読取可能な情報記録媒体を提供することができる。
【図面の簡単な説明】
【図１】ＭＩＣＲ文字が印刷されたパーソナルチェックの例を示す説明図である。
【図２】本発明の磁気パターンの読取システムの実施形態の概要構成を示すブロック構成図である。
【図３】本発明の磁気パターンの読取装置のハードウェア構成を示すブロック構成図である。
【図４】本発明の磁気パターンの読取装置とプリンタとを組み込んだ複合処理装置の概形を示す説明図である。
【図５】本発明の磁気波形データの一例をプロットした図である。
【図６】本発明のホストＰＣのハードウェア構成を示すブロック構成図である。
【図７】本発明の磁気パターンの読取システムにおいて実行される読取および認識処理の流れを示すフローチャートである。
【符号の説明】
１００  読取システム
１１０  読取装置
１１１  測定部
１１２  信号送信部
１１３  読取装置外部インタフェース
１２０  ホストＰＣ
１２１  磁気文字読取アプリケーション
１２２  コマンド解析部
１２３  読取指令部
１２４  ホストＰＣ外部インタフェース
１２５  信号受信部
１２６  磁気パターン認識部
３０１  ＣＰＵ
３０２  紙送り機構
３０３  磁気ヘッド
３０４  増幅回路
３０５  フィルタ回路
３０６  Ａ／Ｄ変換器
３０７  外部インタフェース
３０８  ＲＯＭ
４０１  複合処理装置
４０２  プリンタヘッド
４０３  移動軸
４０４  プラテン
４０５  ロール紙
４１１  パーソナルチェック
４１２  挿入口
６０１  ＣＰＵ
６０２  外部インタフェース
６０３  ＲＡＭ
６１０  ＨＤＤ
６１１  認識プログラム
６１２  基準磁気パターン
６１３  磁気文字読取アプリケーション
【図１】
2004318697.tif 000003
【図２】
2004318697.tif 000004
【図３】
2004318697.tif 000005
【図４】
2004318697.tif 000006
【図５】
2004318697.tif 000007
【図６】
2004318697.tif 000008
【図７】
2004318697.tif 000009